(57)【特許請求の範囲】
【請求項１】
吸収性シート部を男性器に宛がって使用する男性用軽失禁パッドであって、中央シート部と、該中央シート部の相対する両側部に固定されている固定側部を有し、該固定側部を基端として中央シート部上に両側から折り重ね可能に積層配置されている複数の吸収性シート部よりなる両側方シート部とを有することを特徴とする男性用軽失禁パッド。
【請求項２】
前記両側方シート部における吸収性シート部は、前記中央シート部上に折り重ねられた状態において、該中央シート部の幅より狭い幅を有するものであることを特徴とする請求項１に記載の男性用軽失禁パッド。
【請求項３】
前記両側方シート部における吸収性シート部は、最外側吸収性シート部が片面吸収性シート部であり、中側吸収性シート部が両面吸収性シート部であることを特徴とする請求項１又は２に記載の男性用軽失禁パッド。
【請求項４】
前記中央シート部は、前記両側方シート部が折り重ねられる内面が吸収性面であることを特徴とする請求項１〜３のいずれかに１項に記載の男性用軽失禁パッド。
【請求項５】
前記両側方シート部における各吸収性シート部は、支持シートの片面又は両面に吸収体と該吸収体を覆う透水性シートを積層して形成されている吸収性面を有することを特徴とする請求項１〜４のいずれかに１項に記載の男性用軽失禁パッド。
【請求項６】
前記両側方シート部における各吸収性シート部の吸収性面は、各吸収性シート部の中央領域が吸収体存在領域であり、該吸収性領域を囲んで吸収性シート部全周にわたる帯状の吸収体不存在領域が形成されている面であることを特徴とする請求項１〜５のいずれかに１項に記載の男性用軽失禁パッド。
【請求項７】
前記側方シート部は、各吸収性シート部の周縁部に配置されている易剥離性接着部において隣接する吸収性シート部間が剥離可能に仮着されていることを特徴とする請求項１〜６のいずれか１項に記載の男性用軽失禁パッド。
【請求項８】
前記易剥離性接着部はヒートシール接着部及び／又はホットメルト接着部であることを特徴とする請求項７に記載の男性用軽失禁パッド。
【請求項９】
前記中央シート部と両側方シート部の少なくとも一部の衣類側外面に、衣類面に剥離可能に接合する接合固定部を有することを特徴とする請求項１〜８のいずれか１項に記載の男性用軽失禁パッド。
【発明の詳細な説明】
【技術分野】
【０００１】
本発明は、男性用軽失禁パッドに関する。更に詳しくは、尿漏れにより一度汚れた吸収面を簡単な操作で清潔な面と交換した状態で装着し続けることが可能な男性用軽失禁パッドに関する。
【背景技術】
【０００２】
従来、乳幼児用、或いは高齢者・障害者等の成人用の尿パッドとして、液透過性トップシートと、液不透過性バックシートと、両シートの間の一部に介装された吸収体とを備えた尿パッドが知られている。
このような尿パッドは、液透過性トップシートの表面を着用者の肌に接するように宛がって使用することにより、着用者の排泄した尿はトップシートを透過して、吸収体によって吸収・保持されるとともに、防漏性に優れたバックシートによって、尿が外部に漏洩してしまうことが防止されているものであり、様々なケースに対応する多種の製品が提供されている。
【０００３】
一般に、軽度の失禁トラブルを抱える割合は男性に比べて女性のほうが多いといわれるが、男性の場合は、前立腺肥大症をきっかけに、切迫性尿失禁や溢流性尿失禁などになることがあるし、また、身体機能が低下してトイレに間に合わない機能性尿失禁や、病気などで寝たきりになった場合の尿の処理などのさまざまなケースがあり、それぞれに異なる多種類の尿吸収性物品が必要とされている。
【０００４】
男性用に特化した尿パッドとしては、男性器を被包して用いるタイプのものが提案されている（特許文献１参照）。このような男性用軽失禁パッドは、例えば、矩形の尿パッドを、粘着テープ等を利用して三角形に成型して男性器を包み込んだ状態で用いるため、使い捨ておむつや、単に衣類やおむつ上に載置して用いる尿パッドと比較して、尿と着用者の肌との接触面積を少なくすることができる。
【０００５】
また、男性用軽失禁パッドの他のタイプとしては、例えば、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成されたもの（例えば、特許文献２参照）や、予め袋状に成型されたもの（例えば、特許文献３参照）なども提案されている。
【先行技術文献】
【特許文献】
【０００６】
【特許文献１】特開平８−２８０７２７号公報
【特許文献２】特開２００１−１２９０１２号公報
【特許文献３】特開平９−２９９３９２号公報
【発明の概要】
【発明が解決しようとする課題】
【０００７】
一般に、男性用トイレには、汚物入れが備わっていない場合がほとんどであり、外出時に失禁製品を捨てる場所が極めて少ない。そのため、上述した各特許文献に記載された尿パッドでは、尿漏れにより一度汚れた吸収面を肌に接したままの状態で長時間装着し続けるか、汚れたパッドを新しいパッドと取り換えた上で、汚れたパッドを持ち歩かなければならないこととなる場合が多くなる。
本発明は、このような従来品の課題を解決するためになされたものであって、尿漏れにより一度汚れた面を長時間肌に接した状態で着用し続ける必要がなく、装着したままの状態で簡単な操作で清潔な吸収面と置き換えて装着し続けることが可能な男性用軽失禁パッドを提供することを目的とするものである。
【課題を解決するための手段】
【０００８】
本発明者らは、上記の課題を解決するために鋭意研究を行った結果、下記の技術的事項を基礎として構成される男性用軽失禁パッドの発明に至ったのである。
【０００９】
（１）吸収性シート部を男性器に宛がって使用する男性用軽失禁パッドであって、
中央シート部と、該中央シート部の相対する両側部に固定されている固定側部を有し、該固定側部を基端として中央シート部上に両側から折り重ね可能に積層配置されている複数の吸収性シート部よりなる両側方シート部とを有することを特徴とする男性用軽失禁パッド。
【００１０】
（２）前記両側方シート部は、それぞれ２枚の吸収性シート部よりなることを特徴とする（１）に記載の男性用軽失禁パッド。
【００１１】
（３）前記両側方シート部は、それぞれ３枚の吸収性シート部よりなることを特徴とする（１）に記載の男性用軽失禁パッド。
【００１２】
（４）前記両側方シート部における吸収性シート部は、前記中央シート部上に折り重ねられた状態において、該中央シート部の幅より狭い幅を有するものであることを特徴とする（１）〜（３）のいずれかに記載の男性用軽失禁パッド。
【００１３】
（５）前記両側方シート部における吸収性シート部は、少なくとも着用者の肌に接する状態とされる面が吸収性面であることを特徴とする（１）〜（４）のいずれかに記載の男性用軽失禁パッド。
【００１４】
（６）前記両側方シート部における吸収性シート部は、外側吸収性シート部が片面吸収性シート部であり、中側吸収性シート部が両面吸収性シート部であることを特徴とする（１）〜（５）のいずれかに記載の男性用軽失禁パッド。
（７）前記矩形状の中央シート部は、前記両側方シート部が折り重ねられる内面が吸収性面であることを特徴とする（１）〜（６）のいずれかに記載の男性用軽失禁パッド。
【００１５】
（８）前記両側方シート部における各吸収性シート部は、支持シートの片面又は両面に吸収体と該吸収体を覆う透水性シートを積層して形成されている吸収性面を有することを特徴とする（１）〜（７）のいずれかに記載の男性用軽失禁パッド。
【００１６】
（９）前記両側方シート部における各吸収性シート部の吸収性面は、各吸収性シート部の中央領域が吸収体存在領域であり、該吸収性領域を囲んで吸収性シート部全周にわたる帯状の吸収体不存在領域が形成されている面であることを特徴とする（１）〜（８）のいずれかに記載の男性用軽失禁パッド。
【００１７】
（１０）前記両側方シート部は、支持シートの幅方向の長さを２本の折線によって略３等分して中央シート部と、両側方シート部を形成した支持シートの該両側方シート部と、前記２本の折線に沿って一側部が固定されている固定側部を有し、該固定側部を基端として前記支持シートの中央シート部上に両側から折り重ね可能に配置固定されている少なくとも１枚の吸収性シート部とによって構成されていることを特徴とする（１）〜（９）のいずれかに記載の男性用軽失禁パッド。
【００１８】
（１１）前記支持シートは、前記両側方シート部の前記少なくとも１枚の中側吸収性シート部が配置されている面が、吸収性面であることを特徴とする（１０）に記載の男性用軽失禁パッド。
（１２）前記側方シート部は、各吸収性シート部の周縁部に配置されている易剥離性接着部において隣接する吸収性シート部間が剥離可能に仮着されていることを特徴とする（１）〜（１１）のいずれかに記載の男性用軽失禁パッド。
（１３）前記易剥離性接着部はヒートシール接着部及び／又はホットメルト接着部であることを特徴とする（１２）に記載の男性用軽失禁パッド。
（１４）前記易剥離性接着部は、不連続接着部であることを特徴とする（１３）に記載の男性用軽失禁パッド。
（１５）衣類側外面に、衣類面に剥離可能な接合固定部を有することを特徴とする（１）〜（１４）のいずれかに記載の男性用軽失禁パッド。
【発明の効果】
【００１９】
本発明の男性用軽失禁パッドは、尿漏れにより一度汚れた使用済み面を装着状態のまま簡単な操作で清潔な未使用吸収性面に替えると同時に使用済み吸収性面を閉鎖することができるので、長時間着用し続けることが可能であり、日常生活を営む男性の軽度の失禁対策用パッドとして特に好適である。
すなわち、本発明の男性用軽失禁パッドは、その任意の吸収性面を開いて使用し、吸収性面が汚れた場合は該汚れ面を有する吸収性シート部、すなわち、側方シート部を構成している吸収性シート部を、その汚れ面を閉じる方向に倒すだけで、汚れた面を閉じ込めると同時に未使用の吸収性面を開くことが可能であるので、着用者の肌に常に清潔な吸収性面が接している状態に保つことができるし、上記汚れ面と新鮮面の交換操作を装着状態のままで着衣を汚さずに行うことが可能となる。
【図面の簡単な説明】
【００２０】
【図１】本発明の一実施例である男性用軽失禁パッドの斜視図であり、軽失禁パッドを部分的に開いた状態で吸収性面側から見た図である。
【図２】図１の男性用軽失禁パッドを部分的に開いた状態で背側（吸収性面の反対側）から見た斜視図である。
【図３】一枚の吸収性シートより形成した本発明の一実施例の男性用軽失禁パッドの断面を示す略図である。
【図４】側方シートの断面を示す略図である。
【図５】図１の男性用軽失禁パッドの一使用例における１回目の使用面を開いた状態を示す断面略図である。
【図６】図５に示す１回目の使用面を閉じて未使用吸収面からなる２回目の使用面を開いた状態を示す断面略図である。
【図７】図５及び図６に示す男性用軽失禁パッドの使用例とは異なる１回目及び２回目の使用面の状態を示す断面略図である。
【図８】図５、図６及び図７に示す男性用軽失禁パッドの使用方法とは異なる１回目及び２回目の使用面の状態を示す断面略図である。
【図９】両側方シート部が３層の吸収性シート部が積層配置された構造を有する男性用軽失禁パッドを部分的に開いた状態を吸収性面側から見た斜視図である。
【図１０】図９の男性用軽失禁パッドの１回目〜３回目の使用面の状態を示す断面略図である。
【図１１】図１０とは異なる図９の男性用軽失禁パッドの１回目〜３回目の使用面の状態を示す断面略図である。
【図１２】両側方シート部における各吸収性シート部間を仮着した状態で第１回目の使用面から第２回目の使用面を形成する方法を示す斜視図である。
【発明を実施するための形態】
【００２１】
以下、図面を参照しながら、本発明の男性用軽失禁パッドを具体的に説明するが、本発明は、特許請求の範囲に記載されている発明特定事項によって規定される技術的範囲に包含される男性用軽失禁パッドを広く包含するものであり、以下の実施形態に限定されるものではない。
【００２２】
〔男性用軽失禁パッド〕
本発明の男性用軽失禁パッドは、日常生活を営む男性が、軽度の失禁対策用の軽失禁パッドとして好適に用いることができるものであり、具体的には、中央シート部と、該中央シート部の両側部領域に積層状態で一側部が固定されている複数の吸収性シート部を有する両側方シート部とからなり、該一側部が固定された固定側部を基端として両側の側方シート部を形成している個々の吸収性シート部を中央シート部側に折り畳んで両側方シート同士を折り重ねたり、折り重ねた状態から順次開いたりすることによって、個々の吸収性シート部の未使用吸収性面を組み合わせて新しい吸収性面を形成することを可能とする構造を有している。
【００２３】
図１、図２に示すように、本発明の男性用軽失禁パッド１は、矩形状の中央シート部２と、中央シート部２の両側に、固定側部４を基端として中央シート部２上に両側から折り畳んで互いに重ね合わせることができるように積層配置されている２枚の吸収性シート部３ａ，３ｂよりなる側方シート部３と、３ｃ，３ｄよりなる他方の側方シート部３とを有している。
図１、図２に示す男性用軽失禁パッド１の場合は、中側の吸収性シート部３ａ，外側の吸収性シート部３ｂからなる一方の側方シート部３と、中側の吸収性シート部３ｃ、外側の吸収性シート部３ｄからなる他方の側方シート部３は、一方では外側吸収性シート部３ｂと中側吸収性シート部３ａが、また、他方では外側吸収性シート部３ｄと中側吸収性シート部３ｃがそれぞれ積層された状態でそれぞれの一側部において中央シート部２の両側縁部と接合一体化されて固定側部４を形成している。
【００２４】
各吸収性シート部の全周縁部は、吸収体存在領域５（破線内部）を囲んで帯状の吸収体不存在領域６（破線外部）が形成されている。
なお、図２に示すように、男性用軽失禁パッド１は、背面側にずれないように着用者の衣類に固定するための固定用接合部１０を有している。
【００２５】
図３は、一枚の吸収性シートを折り畳んで形成している本発明の男性用軽失禁パッド１
の断面構造を示す略図である。
図３において、男性用軽失禁パッド１は、図１及び図２に示す男性用軽失禁パッド１の両側方シート部３における中側吸収性シート部３ａ，外側吸収性シート部３ｂと、中側吸収性シート部３ｃ，外側吸収性シート部３ｄを有する両側方シート部３，３が、広幅矩形状の支持シート８の一面に吸収体５’と該吸収体を覆う透水性シート５’’からなる吸収体存在領域５が図３の（１）に示すように間隔をおいて配置されている吸収性シートを、図３の（２）に示すように谷折、山折を交互に繰り返すことによって、中央シート部２の両側に形成されている。図３において、図１及び図２における中央シート部２に相当する中央シート部２’の両側に形成されている折り畳み片３ｂ’は３ｂに、３ａ’は側方シート部３の中側吸収性シート部３ａに相当し、３ｂ’は側方シート部３の外側吸収性シート部３ｂに相当するが、中側吸収性シート部３ａ’は、折り畳み片３ａ１，３ａ２を中央シート部２’の側縁部に接合部４’において接合一体化した二枚シートから形成されている。
【００２６】
同様に、中側吸収性シート部３ｃ’は、折り畳み片３ｃ１，３ｃ２を中央シート部２’の側縁部に接合部４’において接合一体化した二枚シートから形成されている。
図３では、1枚のシートから男性用軽失禁パッドを形成する例を示したが、複数のシートから構成することも可能である。図４の（１）に示すように、1枚目のシートを谷折りし、中央シート部２と外側吸収性シート部３ｂを形成した後、２枚目のシートを谷折りした部分の内側に固定することにより中側吸収性シート部３ａを形成し、側方シート部３が得られる。図４の（２）では、1枚目のシートを谷折りし、中央シート部２と中側吸収性シート部３ａを形成した後、２枚目のシートを谷折りした部分の外側に固定することにより外側吸収性シート部３ｂを形成し、側方シート部３が得られる。図４の（３）では、中央シート部２、中側吸収性シート部３ａ、外側吸収性シート部３ｂをそれぞれ別々の３枚のシートで固定することにより、側方シート部３が得られる。他方の側方シート部３も1枚シートまたは図４の（１）〜（３）を用いて形成することができ、両側方シートは、上記の組み合わせにより得られる。
【００２７】
両面吸収性面である中側吸収性シート部３ａ’，３ｃ’では、相対している支持シート８間は、非接合状態のままであってもよいし、連続的又は間欠的な結合手段で接合されていてもよい。
また、中側吸収性シート部３ａ’の３ａ１面と，３ｃ’の３ｃ１面に、快適な肌触りを呈する表面材を積層して、失禁時の吸収を主として中央シート部２面に担わせることにより該中側シート面を肌触りのよい内面とすることもできる。この場合、尿の吸収機能は中央シート部の吸収性内面が主として果たすこととなるが、表面材を液透過性材料とすれば、失禁時の尿量が多い場合には３ａ１面と３ｃ１面も吸収能も期待できる。前記快適性の高い表面材の例としては、メッシュシート（不織布、フィルム、布）などを挙げることができる。
【００２８】
図５〜図８は、図１及び図２に示されている基本構造を有する男性用軽失禁パッドの使用方法を説明する図である。
図５において、男性用軽失禁パッド１は、内側が吸収性面である中央シート部２の両側に、両面が吸収面である中側吸収性シート部３ａと、内側面が吸収性面である外側吸収性シート部３ｂよりなる一方の側方シート部３と、両面が吸収面である中側吸収性シート部３ｃと、内側面が吸収性面である外側吸収性シート部３ｄよりなる他方の側方シート部３よりなる。
男性用軽失禁パッド１は、両側方シート部３，３を開いた状態で着用者に装着される。着用者の肌には、両側方シート部３，３の中側吸収性シート部３ａと３ｃの内側吸収性面と中央シート部２の内側吸収性面が当接して第一回目の失禁尿の吸収面を形成している。
【００２９】
第一回目の使用に供された後は、図６に示されるように、一方の側方シート部３の中側吸収性シート部３ｃを中央シート部の吸収性面上に折り畳み、その上に他方の側方シート部３の中側吸収性シート部３ａを折り畳んで第一回目の吸収性面を全て閉じ込めると同時に、新たに露出される両側方シート部の外側吸収性シート部３ｂと３ｄの内側吸収性面と、最後に折り畳まれて中央シート部２上に位置している側方シート部３の中側吸収性シート部３ａの未使用吸収性面とによって形成される未使用吸収性面を着用者の肌に当接させて第二回目の使用に供される。
第二回目の使用面を形成する場合、図６には、最初に一方の側方シート部３の中側吸収性シート部３ｃを中央吸収シート部２上に折り重ねた後、他方の側方シート部３の中側吸収性シート部３ａを折り重ねる態様を示したが、最初に中央シート部２面に折り重ねるシートを他方の側方シート部３の中側吸収性シート部３ａとすることも無論可能である。
【００３０】
図７と図８は、図５及び図６に示される第一回目と第二回目の吸収性面を形成して使用する方法と異なる第一回目と第二回目の吸収性面を形成する方法を示す図である。
図７において、男性用軽失禁パッド１は、一方の側方シート部３の中側吸収性シート部３ｃを中央シート部２の内側吸収性面上に折り重ね、その上に他方の側方シート部３の中側吸収性シート部３ａを折り重ねて、一方の側方シート部３の外側吸収性シート部３ｂの内側吸収性面、一方の外側シート部３の中側吸収性シート部３ａの外側吸収性面、他方の側方シート部３の外側吸収性シート部３ｄの内側吸収性面とによって形成される、図７（１）図に示される第一回目の使用面を形成し、第一回目の使用面を使用した後は、中央シート部２の上に折り重ねられている両側方シート部３，３の中側吸収性シート部３ａと３ｃを引き起こして、図７（２）に示されるように、両側方シート部３，３の中側吸収性シート部３ａと３ｃの内側の未使用吸収面と中央シート部２内面の未吸収面を露出させて第二回目の使用面が形成される。
第一回目の使用面を形成する場合、図７には、最初に一方の側方シート部３の中側吸収性シート部３ｃを中央吸収シート部２上に折り重ねる態様を示したが、最初に中央シート部２面に折り重ねるシートを他方の側方シート部３の中側吸収性シート部３ａとすることも無論可能である。
【００３１】
図８の場合、男性用軽失禁パッド１は、一方の側方シート部３の中側吸収性シート部３ａを中央シート部２の内側吸収性面上に折り重ねて、一方の側方シート部３の外側吸収性シート部３ｂの内側吸収性面、中側吸収性シート部３ａの外側吸収性面、他方の側方シート部３の中側吸収性シート部３ｃの内側吸収性面とによって形成される、図８（１）図に示される第一回目の使用面を形成し、第一回目の使用面を使用した後は、中央シート部２の上に折り重ねられている側方シート部３の中側吸収性シート部３ａを引き起こして、その後に露出する中央シート部２上に、他方の側方シート部３の中側吸収性シート部３ｃを折り重ねて図８（２）に示されるように、一方の側方シート部３の中側吸収性シート部３ａの内側の未使用吸収面と、他方の側方シート部３の中側吸収性シート部３ｃの外側吸収性面と、他方の側方シート部３の外側吸収性シート部３ｄの内側吸収性面からなる未吸収面を露出させて第二回目の使用面が形成されている。
図８の場合も、第一回目の使用面を形成する場合、最初に中央シート部２面に折り重ねるシートを他方の側方シート部３の中側吸収性シート部３ｃとすることは無論可能である。
【００３２】
本発明の男性用軽失禁パッド１は、図９に示すように、両側方シート部３，３の中側吸収性シート部をそれぞれ２層（３ａ，３ｅと、３ｃ，３ｆ））とすることも可能である。この場合、図１０、図１１に示すように、側方シート部の各中側吸収性シート部の折り重ね方法を変えることにより、両側方シート部３，３における外側吸収性シート部、各中側吸収性シート部、中央シート部の種々の組み合わせにより第一回目〜第三回目の使用面を構成することが可能となる。
【００３３】
更に、多数の両面吸着性面である中側吸収性シート部を有する積層体とすることも可能であるが、使用済み面を含んだ状態であまりも長時間装着し続けることは好ましくないことと、嵩張ることを避けることが望ましいことから、両側方シート部３，３としては、１日分の軽失禁に対応できる使用面が確保できる１層又は２層程度の中側吸収性シート部を含むものであることが好ましい。
【００３４】
また、図９に示すように、男性用軽失禁パッドの両側方シート部３，３の吸収性シートにおける着用者の肌に接触する側の角部を丸みのあるなだらかな形状とすることが好ましい。
また、図１２に示すように、男性用軽失禁パッド１における両側方シート部３，３は、該側方シート部３，３を構成している外側吸収性シート部と内側吸収性シート部間、及び／又は、内側吸収性シート部同士間を易剥離性接合部７によって剥離可能に接合（仮着）しておくことも可能である。このような仮着によって一体化されている状態からシート部分を順次剥離して、各図に示す第一回目の使用面〜第三回目の使用面等を形成すると、装着時における着用者の動作によって使用中のシートが移動して未使用シート面が露出して、汚染される事態が発生することを抑制する作用が期待される。
【００３５】
以下、本発明の男性用軽失禁パッドに使用される材料について説明する。
〔吸収性シート〕
本発明の男性用軽失禁パッドは、着用者の排泄した尿を吸収し保持する機能を担う部材として吸収性シートを備えている。この吸収性シートは、複数のシートが吸収体を挟持した状態で積層されたものであり、たとえば、図３に示されるように、吸収体５’を支持シート８と透水性（液透過性）シート５’’の間に挟持して接合一体化したものが好ましい。
【００３６】
〔透水性シート〕
透水性シートは、吸収性シートの内側面、すなわち、着用者の肌に接する側の面に配置されるシートである。
この透水性シートは、排泄された尿を吸収性シート内の吸収体側に速やかに通過させるものであり、透水性シートを有することによって、配設された尿が失禁パッド外に漏れ出すことなく、速やかに吸収体に到達して吸収保持される。透水性シートは、尿透過性を有するシートであれば、シートの材質については特に制限はなく、例えば、織布、不織布、多孔性フィルム等を挙げることができる。
透水性シートの更に好適な例としては、液透過性の不織布を挙げることができる。このような液透過性の不織布を用いることによって、肌触りが良好で、吸液後においても表面さらさら感を有する男性用軽失禁パッドを構成することができる。
【００３７】
吸収性シートの吸収性面は、軽失禁パッドの通常の使用状態で、使用面における吸収性シート全体として、失禁時の尿の吸収機能を充分に果たせるものである限り、全面を一種類の透水性シートからなる面とすることは必ずしも必要ではない。例えば、肌に接する面に求められる機能（たとえば、肌触り感に優れている）を備えた他の透水性シート材料と組み合わせた面とすることも可能である。
【００３８】
〔支持シート〕
支持シートは、吸収体を外側から覆って配置され、前記内側から覆って配置される透水性シートと共に吸収体を支持するシートであり、軽失禁パッドの前記外側吸収性シートの場合は、着用者の着衣に面する側に配置されるシートである。支持シートは、吸収体に吸収された尿を吸収性シートの外部に漏らさないように、尿が透過しない液不透過性シートや、加圧下では透過可能であるが、通常の装着状態では尿が透過しにくい液低透過性シートによって構成されていることが好ましい。
【００３９】
上記支持シートとしては、一般的な吸収性製品に液不透過性シートとして使用されている、ポリエチレンフィルムを好適例として挙げることができる。このようなポリエチレンフィルムには、透湿性ポリエチレンフィルムと非透湿性ポリエチレンフィルムとがあり、いずれのフィルムも支持シートとして用いることができるが、透湿性ポリエチレンフィルムをより好適に用いることができる。このような透湿性ポリエチレンフィルムを支持シートとして使用することにより、着用中のムレが少なくなり、軽失禁パッドを着用した際の快適性を向上させることができる。
【００４０】
また、上記した液低透過性シートとしては、耐水圧の高い不織布を好適例として挙げることができる。耐水圧の高い不織布としては、例えば、ＳＭＳ（スパンボンド／メルトブロー／スパンボンド）、ＳＭＭＳ（スパンボンド／メルトブロー／メルトブロー／スパンボンド）等の不織布が好ましい。
これらの不織布は、疎水性合成繊維を集積してボンディングしたものであるため、尿をはじくことはあるが、圧力を加えると尿が通過してしまうことがある。但し、本発明の男性用軽失禁パッドを、日常生活を営む男性が軽度の失禁対策用の軽失禁パッドとして利用する場合には、失禁時における尿の量が少ないため、このような液低透過性シートであっても、外面シートとして十分使用することが可能である。これにより、上述したポリエチレンフィルムを用いた場合よりも更に通気性を向上させることができ、軽失禁パッドを着用した際の快適性を更に向上させることができる。
【００４１】
なお、耐水圧とは、シートを構成する生地に浸み込もうとする水分に掛かる力を抑える性能（防水性）を数値で表したものであり、例えば、ＪＩＳ  Ｌ  １０９２  耐水度試験Ａ法に準拠した方法によって測定することができる。本発明の男性用軽失禁パッドにおいては、上記耐水圧の高い不織布として、耐水圧が４０ｍｍＡｑ．以上の不織布を挙げることができ、耐水圧が１００ｍｍＡｑ．以上の不織布を好適に用いることができる。
【００４２】
更に、支持シートとして、上記ポリエチレンフィルムと上記耐水圧の高い不織布とを積層したシートを用いてもよい。このように構成することによって、男性用軽失禁パッドを交換時や着用中、外面シートと着用者の下着とが擦れたり、外面シートを触ったりするときに音が生じ難く、着用者が周囲の目や耳を気にすることなく、安心して着用することができる。
【００４３】
〔吸収体〕
吸収体としては、一般的な吸収性製品に使用されている吸収体を用いることができる。例えば、吸収体を構成する吸収材としては、木材パルプを綿状に粉砕したフラッフパルプと高吸水性樹脂（以下、「ＳＡＰ」ということがある）を好適例として挙げることができる。
必要に応じて、上記吸収材をラップするために、吸水紙や親水化処理した不織布を更に有していてもよい。即ち、上記吸水紙や親水化処理した不織布によってフラッフパルプとＳＡＰとを含む吸収材を包んでなる吸収体とすることができる。
【００４４】
本発明の男性用軽失禁パッドにおいては、軽失禁用途として、極めて微量の吸水量に対応するためのものであれば、吸収体は多くの吸収量を必要としないので、失禁パッドの薄型化へのニーズに応えるためにも、吸収体と、この吸収体を挟持する一方のシートとを一体的に構成したものとすることができる。例えば、上記したＳＭＳ不織布やＳＭＭＳ不織布にＳＡＰを直接固定し、更にこの表面に上記吸水紙やラップ用不織布を被せることによって、吸収体と裏面シートとを一体化し、両者の機能を有する一枚の吸水シートとして使用してもよい。また、親水性不織布にＳＡＰだけを挟持したＳＡＰシートを用いることもできる。
【００４５】
吸収体の配置状態は特に限定されるものではなく、シート全体に連続で配置されていてもよく、分割して所定間隔で配置されていても良いが、図１及び図２に示されているように、吸収性シートの外周縁領域を吸収体が配置されていない帯状領域とすることが好ましい。
【００４６】
〔固定用接着部〕
本発明の男性用軽失禁パッドは、外側吸収性シートの外面側に、着用者の下着の内側に軽失禁パッドを固定するための接着部を更に有するものであってもよい。この固定用接着部（たとえば、図２の符号１０）は、衣類やおむつに男性用軽失禁パッドを着脱可能に接着させて固定するためのものである。このような接着部を配置することによって、装着後、男性用軽失禁パッドの位置がズレてしまうことを防止することができる。接着部としては、両面粘着テープ、メカニカルファスナー等を挙げることができる。
接着部の大きさや配置する位置については、男性用軽失禁パッドを衣類やおむつ等の内面に固定することができ、男性用軽失禁パッドの位置ズレを防止することができる程度の結合力が得られるものであれば特に制限はない。
【００４７】
また、このような接着部は、接着部の表面を被覆するように配置された接着部保護テープを更に備えていてもよい。このように構成することによって、使用前の状態の接着部が、不要な箇所に接着してしまうことを有効に防止することができる。接着部保護テープは、接着部に対して剥離可能な材質のテープによって形成することができる。
接着部保護テープの材質については特に制限はなく、接着部の種類に応じて適宜選択することができ、接着部に対して剥離可能に接着されるものであればよい。
【００４８】
〔その他〕
本発明の男性用軽失禁パッドは、たとえば、図２に示す側方シート部の固定側部４が縦方向になるように装着することが男性器への装着感の観点から好ましいが、該固定側部４が横方向になるように装着することもできる。
また、本発明の男性用軽失禁パッドは、両側方シート部における吸収性シート部の使用時の開き面となる面が吸収性面であればよく、使用面となることが予定されていない面は吸収性面であることが必須ではない。しかし、使用済み面を未使用面に交換する際に、非吸収性面を使用面としてしまうことに対する不安感を解消する観点から、少なくとも側方シート部を構成する吸収性シート部に関しては、全ての面を吸収性面としてもよい。
【産業上の利用可能性】
【００４９】
本発明の男性用軽失禁パッドは、失禁対策用の男性用の尿パッドとして利用することが可能である。特に、日常生活を営む男性が軽度の失禁対策として、携帯用の男性用軽失禁パッドとして好適に用いることができる。
【符号の説明】
【００５０】
１：男性用軽失禁パッド
２，２’：中央シート部  
３：側方シート部
３ａ，３ａ’，３ｃ，３ｃ’：中側吸収性シート部
３ｂ，３ｄ：外側吸収性シート部
３ａ１，３ａ２，３ｃ１，３ｃ２：折り畳み片
４：固定側部
５：吸収体存在領域
５’：吸収体
５’’：透水性シート
６：吸収体不存在領域
７：易剥離性接合部
８：支持シート
１０：接合固定部
【図１】
0005446550.tif 000002
【図２】
0005446550.tif 000003
【図３】
0005446550.tif 000004
【図４】
0005446550.tif 000005
【図５】
0005446550.tif 000006
【図６】
0005446550.tif 000007
【図７】
0005446550.tif 000008
【図８】
0005446550.tif 000009
【図９】
0005446550.tif 000010
【図１０】
0005446550.tif 000011
【図１１】
0005446550.tif 000012
【図１２】
0005446550.tif 000013